(57)【特許請求の範囲】
【請求項１】
下端に火薬部を支持させた基板には回動板を上下方向に回動自在に取り付け、該基板の表面と回動板の表裏各面とにそれぞれ所望の表示を付し、該回動板の下部に導火線を取り付け、該導火線を仮止め手段により火薬部に仮止めし、火薬部の点火前においては基板の表面と回動板の表面とにより一定の組合せ表示が形成され、火薬部の点火後においては該火薬部の燃焼により仮止め手段による仮止めが解除されて回動板が上方に回動し、該導火線が燃焼しつつ回動板と共に上方に回動し、基板の表面と回動板の裏面とより別の組合せ表示が形成されるようにしたことを特徴とする玩具花火。
【請求項２】
下端に火薬部を支持させた基板には回動板を上下方向に回動自在に取り付け、該基板の表面と回動板の表裏各面とにそれぞれ所望の表示を付し、該回動板の下部に花火を取り付け、該花火を仮止め手段により火薬部に仮止めし、火薬部の点火前においては基板の表面と回動板の表面とにより一定の組合せ表示が形成され、火薬部の点火後においては該火薬部の燃焼により仮止め手段による仮止めが解除されて回動板が上方に回動し、該花火が燃焼しつつ回動板と共に上方に回動し、基板の表面と回動板の裏面とより別の組合せ表示が形成されるようにしたことを特徴とする玩具花火。
【請求項３】
前記仮止め手段による仮止めが解除された後に回動板を上方に回動させるために、回動板の後部を重くしたことを特徴とする請求項１又は２の玩具花火。
【請求項４】
前記仮止め手段による仮止めが解除された後に回動板を上方に回動させるために、回動板と基板との間に引っ張り手段を取り付けたことを特徴とする請求項１又は２の玩具花火。
【発明の詳細な説明】
【０００１】
【発明の属する技術分野】
本発明は玩具花火に関するものであり、特に点火後花火の基板が回動して看者の目を楽しませるようにしたものである。
【０００２】
【従来の技術】
点火後、花火の基板が回動するようにした玩具花火としては、本出願人が提案した実公昭６０−４２３１５号公報に示すものが知られている。この玩具花火は、図７に示すように、基板１に折目３を設けて該基板１を前部５と後部７とに区分し、基板１の上下いずれかの面より基板１の前部５と後部７とにそれぞれ花火１１、１３、１５を取り付け、各花火１１、１３、１５の火薬部１１ａ、１３ａ、１５ａ先端附近を粘着テープ１７により相互に密着させてなるものである。この玩具花火においては、花火の火薬部１１ａ先端に点火すると、図８に示すように、やがて各花火の火薬部１１ａ、１３ａ、１５ａ先端附近を相互に密着させている粘着テープ１７が焼け切れて各花火の火薬部１１ａ、１３ａ、１５ａ先端附近の密着が解除され、基板１の後部７に取り付けた花火１３、１５が下方に回動する。このとき、基板１は折目３にて折れ曲り、基板１の後部７が上方に回動する。
【０００３】
【発明が解決しようとする課題】
しかるに、上記従来の玩具花火においては、基板１に着目すると、基板１は点火後単に折目３にて折れ曲り、基板１の後部７が上方に回動するに過ぎない。即ち、基板１自体の変化は単調であり、看者の目を楽しませることはできない。そこで、本発明は、点火後花火の基板が回動して基板自体が面白い変化をなし、以て看者の目を楽しませるようにした玩具花火を提供しようとしてなされたものである。
【０００４】
【課題を解決するための手段】
上記課題を解決するために、本発明は下記の玩具花火を提供する。
【０００５】
（１）下端に火薬部を支持させた基板には回動板を上下方向に回動自在に取り付け、該基板の表面と回動板の表裏各面とにそれぞれ所望の表示を付し、該回動板の下部に導火線を取り付け、該導火線を仮止め手段により火薬部に仮止めし、火薬部の点火前においては基板の表面と回動板の表面とにより一定の組合せ表示が形成され、火薬部の点火後においては該火薬部の燃焼により仮止め手段による仮止めが解除されて回動板が上方に回動し、該導火線が燃焼しつつ回動板と共に上方に回動し、基板の表面と回動板の裏面とより別の組合せ表示が形成されるようにしたことを特徴とする玩具花火（請求項１）。
【０００６】
（２）下端に火薬部を支持させた基板には回動板を上下方向に回動自在に取り付け、該基板の表面と回動板の表裏各面とにそれぞれ所望の表示を付し、該回動板の下部に花火を取り付け、該花火を仮止め手段により火薬部に仮止めし、火薬部の点火前においては基板の表面と回動板の表面とにより一定の組合せ表示が形成され、火薬部の点火後においては該火薬部の燃焼により仮止め手段による仮止めが解除されて回動板が上方に回動し、該花火が燃焼しつつ回動板と共に上方に回動し、基板の表面と回動板の裏面とより別の組合せ表示が形成されるようにしたことを特徴とする玩具花火（請求項２）。
【０００７】
（３）前記仮止め手段による仮止めが解除された後に回動板を上方に回動させるために、回動板の後部を重くすることが望ましい（請求項３）。
【０００８】
（４） 前記仮止め手段による仮止めが解除された後に回動板を上方に回動させるために、回動板と基板との間に引っ張り手段を取り付けてもよい（請求項４）。
【０００９】
【作用】
［請求項１の玩具花火］
玩具花火の点火前においては、基板の表面と回動板の表面とにより一定の組合せ表示が形成されている。玩具花火を使用する際には、基板の下端に支持された火薬部の下端に点火する。しかるときは、火薬部は燃焼し、やがて火薬部の火は仮止め手段を破壊し、火薬部に対する回動板の仮止めを解除する。続いて回動板は上方に回動する。回動板が上方に回動することにより回動板はその裏面が表われ、基板の表面と回動板の裏面とより点火前とは異なる組合せ表示が形成される。
【００１０】
請求項１の玩具花火においては、回動板の下部に導火線を取り付け、該導火線を仮止め手段により火薬部に仮止めしている。従って、火薬部に点火したときには、火薬部の火は仮止め手段を破壊すると共に導火線に移る。即ち、導火線は燃焼しつつ回動板と共に上方に回動する。
【００１１】
［請求項２の玩具花火］
請求項２の玩具花火においては、回動板の下部に花火を取り付け、該花火を仮止め手段により火薬部に仮止めしている。従って、火薬部に点火したときには、火薬部の火は仮止め手段を破壊すると共に花火に移る。即ち、花火は燃焼しつつ回動板と共に上方に回動する。
【００１２】
［請求項３の玩具花火］
請求項３の玩具花火においては、仮止め手段による仮止めが解除された後に回動板を上方に回動させるために、回動板の後部を重くしている。即ち、火薬部に対する回動板の仮止めが解除されたときには、回動板は後部の重みにより上方に回動する。
【００１３】
［請求項４の玩具花火］
請求項４の玩具花火においては、仮止め手段による仮止めが解除された後に回動板を上方に回動させるために、回動板と基板との間に引っ張り手段を取り付けている。即ち、火薬部に対する回動板の仮止めが解除されたときには、回動板は回動板と基板との間に取り付けられた引っ張り手段により上方に回動する。
【００１４】
【発明の実施の形態】
次に、本発明の実施の形態を添付図面に従って説明する。符号２１に示すものは基板である。基板２１の下端には火薬部２３を支持させる。火薬部２３は、例えば、軸に火薬を固着してなるスパークラー、筒状体内に火薬を充填してなるススキ、或いは筒状体内に発煙薬を充填してなる発煙花火とする。火薬部２３は単数本でも複数本でもよい。図示の事例においては、基板２１の下端に２本の火薬部２３、２３を取り付け、該火薬部２３、２３の下端を点火薬２５を介して相互に連結している。
【００１５】
基板２１には回動板２７を上下方向に回動自在に取り付ける。即ち、一例として回動板２７に一対の凸部２９、２９（図４参照）を上方に突設し、一方、基板２１の両側部にはそれぞれ切欠部３１、３１（図６参照）を形成し、回動板２７の凸部２９、２９を基板２１の前方より切欠部３１、３１挿入し、基板２１の後方に突き出た凸部２９、２９に後部構成部材３３を固定する。
【００１６】
回動板２７の下部を粘着テープ等の仮止め手段３５により火薬部２３に仮止めする。図示の事例においては、回動板２７の下部に導火線３７を取り付け、該導火線３７を仮止め手段３５により火薬部２３に仮止めしている。また、回動板２７の下部には導火線３７に代えてスパークラー、ススキ等の花火を取り付け、該花火を仮止め手段３５により火薬部２３に仮止めしてもよい。
【００１７】
基板２１の表面と回動板２７の表裏各面とにそれぞれ絵、写真等の表示２１ａ、２１ｂ、２７ａ、２７ｂを付する。即ち、基板２１の表面における切欠部３１、３１よりも上側に表示２１ａを付し、基板２１の表面における切欠部３１、３１よりも下側に表示２１ｂを付す。更に、回動板２７の表面に表示２７ａを付し、回動板２７の裏面に表示２７ｂを付す。
【００１８】
表示２１ａ、２１ｂ、２７ａ、２７ｂの相互関係は次の通りである。即ち、火薬部２３の点火前においては、基板２１の表面における上側の表示２１ａと回動板２７の表面の表示２７ａとにより一定の組合せ表示が形成される。換言すれば、玩具花火の正面側には、図１に示すように、下記の組合せ表示が表われる。
「表示２１ａ＋表示２７ａ」
【００１９】
一方、火薬部２３の点火後、仮止め手段３５による仮止めが解除されて回動板２７が上方に回動したときには、基板２１の表面における表示２１ａないし２１ｂと回動板２７の裏面の表示２７ｂとより上記の組合せ表示とは別の組合せ表示が形成されるようになす。換言すれば、回動板２７が上方に回動したときには、玩具花火の正面側には、下記の組合せ表示が表われる。
「２１ａ＋２７ｂ＋２１ｂ」（図２参照）又は「２７ｂ＋２１ｂ」
【００２０】
図示の事例における表示２１ａ、２１ｂ、２７ａ、２７ｂは下記の通りである。
基板２１の表面における上側の表示２１ａ：女性の上半身。
基板２１の表面における下側の表示２１ｂ：下着を露出させた女性の下半身。
回動板２７の表面の表示２７ａ：下着を殆ど露出させていない女性の下半身。
回動板２７の裏面の表示２７ｂ：ブラジャーが除去された状態の女性の上半身。
但し、回動板２７の裏面の表示２７ｂは回動板２７が上下反転した状態で玩具花火の正面側に表われるのであるから、該表示２７ｂは図５に示すように上下反転した状態で回動板２７の裏面に付される。また、回動板２７の下部には半楕円形状の切欠部２７ｃがあるが、この切欠部２７ｃは回動板２７が上方に回動したときに基板２１の表面における上側の表示２１ａの一部である女性の顔部が回動板２７により隠れることを防ぐために設けられたものである。
【００２１】
上述の表示２１ａ、２１ｂ、２７ａ、２７ｂを備えた図示の事例においては、火薬部２３の点火前には、玩具花火の正面側に図１に示す如き女性の姿が表われている。火薬部２３の点火後、仮止め手段３５による仮止めが解除されて回動板２７が上方に回動したときには、女性の姿はスカートが捲れ、下半身の下着が露出し、上半身のブラジャーが除去された状態となる。
【００２２】
仮止め手段３５による仮止めが解除された後に回動板２７を上方に回動させるために、回動板２７の後部を重くすることが望ましい。即ち、一例として、回動板２７の前記凸部２９、２９に重量の大きな後部構成部材３３を固定する。
【００２３】
また、仮止め手段３５による仮止めが解除された後に回動板２７を上方に回動させるために、回動板２７と基板２１との間にばね、ゴム紐等の引っ張り手段４１を取り付けてもよい。
【００２４】
【発明の効果】
以上説明したように、本発明による玩具花火においては、点火前には基板の表面と回動板の表面とにより一定の組合せ表示が形成されているが、基板の下端に支持された火薬部の下端に点火すると、回動板が上方に回動して回動板の裏面が表われ、基板の表面と回動板の裏面とより点火前とは異なる組合せ表示が形成される。従って、看者は火薬部の燃焼を楽しむことができるだけでなく、火薬部の燃焼に伴う基板と回動板とによる組合せ表示の変化という従来の玩具花火にはない意外な楽しみを味わうことができる。また、回動板の下部に導火線又は花火を取り付け、該導火線又は花火を仮止め手段により火薬部に仮止めしたときには、導火線又は花火は燃焼しつつ回動板と共に上方に回動するという面白みもある。
【図面の簡単な説明】
【図１】本発明による玩具花火における点火前の状態を示す正面図である。
【図２】同上玩具花火において点火後に回動板が上方に回動した状態を示す正面図である。
【図３】同上玩具花火において点火後に回動板が上方に回動しつつある状態を示す断面図である。
【図４】回動板の正面図である。
【図５】回動板の背面図である。
【図６】表示を省略した基板と火薬部とを示す正面図である。
【図７】従来の玩具花火における点火前の状態を示す斜視図である。
【図８】従来の玩具花火における点火後の状態を示す斜視図である。
【符号の説明】
１  基板
３  折目
５  前部
７  後部
１１  花火
１１ａ  火薬部
１３  花火
１３ａ  火薬部
１５  花火
１５ａ  火薬部
１７  粘着テープ
２１  基板
２１ａ  表示
２１ｂ  表示
２３  火薬部
２５  点火薬
２７  回動板
２７ａ  表示
２７ｂ  表示
２７ｃ  切欠部
２９  凸部
３１  切欠部
３３  後部構成部材
３５  仮止め手段
３７  導火線
４１  引っ張り手段
【図１】
0003708615.tif 000002
【図２】
0003708615.tif 000003
【図３】
0003708615.tif 000004
【図４】
0003708615.tif 000005
【図５】
0003708615.tif 000006
【図６】
0003708615.tif 000007
【図７】
0003708615.tif 000008
【図８】
0003708615.tif 000009